(57)【特許請求の範囲】
【請求項１】
羽根状もしくは薄板状の複数のソーラパネル（２）を有していて、該ソーラパネル（２）は１つの共通の軸（１８）に、これらのソーラパネル（２）がほぼ互いに合同に重なって位置する第１の位置と、開扇されてほぼ互いに隣接して位置する第２の位置との間において旋回可能に支持されている、ソーラモジュール（１）であって、
互いに隣接した各２つのソーラパネル（２）のうち、一方のソーラパネル（２）の軸側の端部分（２′）の、他方のソーラパネル（２）の軸側の端部分（２′）に向かい合った側が、少なくとも１つの連行体（３４，４２，４８）を有し、かつ他方のソーラパネル（２）の軸側の端部分（２′）の、一方のソーラパネル（２）の軸側の端部分（２′）に向かい合った側が、前記連行体（３４，４２，４８）と係合する、前記軸（１８）を中心とする周方向で互いに間隔をおいて位置する２つのストッパ（３６，３７，４７）を有しており、前記連行体（３４，４２，４８）と前記ストッパ（３６，３７，４７）は前記ソーラパネル（２）の軸側の端部分（２′）にのみ設けられており、前記ソーラパネル（２）は、開扇された第２の位置において、前記端部分（２′）に接続する、前記軸（１８）を中心に半径方向に突出した部分が互いに間隔をおいて位置していることを特徴とする、ソーラモジュール。
【請求項２】
前記端部分（２′）はほぼ円板状であり、互いに隣接した各２つの端部分（２′）は、互いに向かい合っている側に、少なくとも２つの前記周方向に分配配置された連行体（３４，４２，４８）と、該連行体（３４，４２，４８）と係合するストッパ（３６，３７，４７）とを有している、請求項１記載のソーラモジュール。
【請求項３】
前記周方向において互いに間隔をおいて位置する各２つのストッパ（３６，３７）が、前記端部分（２′）における前記周方向の長孔（３５）によって形成されていて、該長孔（３５）内に、前記端部分（２′）に隣接した端部分（２′）の連行体（３４，４２）が係合している、請求項１又は２記載のソーラモジュール。
【請求項４】
少なくとも１つの端部分（２′）が、１つのソーラパネル（２）の支持ステー（２８）の端部から形成されており、該支持ステー（２８）はサンドイッチ状に、前記軸（１８）に支持された２つの取付けプレート（３０）の間において固定されていて、該２つの取付けプレート（３０）のうちの一方が、少なくとも１つの前記周方向の長孔（３５）を有し、かつ他方が連行体（３４）を有している、請求項３記載のソーラモジュール。
【請求項５】
前記連行体（３４）は、前記取付けプレート（３０）にリベット結合されたピン（３４）である、請求項４記載のソーラモジュール。
【請求項６】
少なくとも１つの端部分（２′）が、前記軸（１８）に支持された、１つのソーラパネル（２）の支持ステー（２８）用の取付けプレート（３８）と、該取付けプレート（３８）に回動不能に接触しているスペーサ円板（４０）とから形成されており、該スペーサ円板（４０）は、少なくとも１つの前記周方向の長孔（３５）を有し、前記取付けプレート（３８）は、少なくとも１つの突出したピン（４２）を連行体（４２）として有している、請求項３記載のソーラモジュール。
【請求項７】
前記ピン（４２）は前記取付けプレート（３８）を貫通していて、前記スペーサ円板（４０）の凹部（４４）において固定されている、請求項６記載のソーラモジュール。
【請求項８】
少なくとも２つの端部分（２′）の間において１つのスペーサ円板（４５）が、前記軸（１８）によって挿通されており、前記スペーサ円板（４５）は、前記端部分（２′）の互いに係合する連行体（４８）とストッパ（４７）とを貫通させるための前記周方向の長孔（４６）を有している、請求項１又は２記載のソーラモジュール。
【請求項９】
前記スペーサ円板（４５）は、複数の貫通部を備えた滑り円板として形成されている、請求項８記載のソーラモジュール。
【請求項１０】
１２のソーラパネル（２）が設けられていて、それぞれの長孔（３５，４６）が、約３０°の角度にわたって前記周方向に延びている、請求項３から９までのいずれか１項記載のソーラモジュール。
【請求項１１】
前記軸（１８）は、当該ソーラモジュール（１）の支持構造体（４，５，７）に回転可能に支持されており、該支持構造体（４，５，７）の側に位置する第１のソーラパネル（２）の端部分（２′）は、前記支持構造体（５′）に固定されていて、前記支持構造体（４，５，７）とは反対側に位置する最後のソーラパネル（２）の端部分（２′）は、前記軸（１８）に回動不能に結合されている、請求項１から１０までのいずれか１項記載のソーラモジュール。
【請求項１２】
前記軸（１８）の、前記支持構造体（４，５，７）とは反対側に位置する端部（２５）は、カバープレート（２４）を備えていて、該カバープレート（２４）は、前記最後の端部分（２′）と回動不能に結合されている、請求項１１記載のソーラモジュール。
【請求項１３】
前記軸（１８）は、ウォーム伝動装置（１７，２０）を介して電動機（１４）によって駆動されている、請求項１から１２までのいずれか１項記載のソーラモジュール。
【請求項１４】
前記端部分（２′）は、１つの共通の滑りスリーブ（１９）を介して前記軸（１８）に支持されている、請求項１から１３までのいずれか１項記載のソーラモジュール。
【請求項１５】
前記端部分（２′）の間に、滑り円板（３０′，４０′，４５′）が配置されている、請求項１から１４までのいずれか１項記載のソーラモジュール。
【発明の詳細な説明】
【技術分野】
【０００１】
本発明は、羽根状もしくは薄板状の複数のソーラパネルを有していて、該ソーラパネルは１つの共通の軸に、これらのソーラパネルがほぼ互いに合同に重なって位置する第１の位置と、開扇されてほぼ互いに隣接して位置する第２の位置との間において旋回可能に支持されている、ソーラモジュールに関する。
【０００２】
このようなソーラモジュールは、オーストリア国特許発明第５０９８８６号明細書に基づいて公知であり、敏感なソーラパネルを、まとめられた第１の位置においてスペースを節減して保護ハウジング内に収容することができ、この保護ハウジング内においてソーラパネルは、夜間又は、例えば嵐、落雷、雹又は強雨のような悪天候時に、損傷から守られ、かつ開扇された第２の位置において、太陽光に対する最大の開扇面積を得ることができる、という利点を有している。
【０００３】
前記共通の軸を中心にした開扇動作のために、前記明細書に基づいて、例えば扇形積層体の最上位及び最下位のソーラパネルだけを駆動することが公知であり、このとき各ソーラパネルは、その下もしくはその上に位置するソーラパネルを、連行体を用いて一緒に移動させる。公知の構造では、連行体として、連行フックもしくは連行条片が設けられており、これらの連行部材は、１つのソーラパネルの全長にわたって該ソーラパネルの長手方向縁部に沿って延在している。
【０００４】
本発明の課題は、ソーラモジュールを開扇するための改善された構造を提供することである。
【０００５】
この課題を解決するために本発明に係るソーラモジュールでは、冒頭に述べた形式のソーラモジュールにおいて、互いに隣接した各２つのソーラパネルのうち、一方のソーラパネルの軸側の端部分だけが、少なくとも１つの連行体を有し、かつ他方のソーラパネルの軸側の端部分だけが、連行体と共働する接線方向で互いに間隔をおいて位置する２つのストッパを有しており、ソーラパネルは、開扇された第２の位置において、端部分に接続する半径方向に突出した部分が互いに間隔をおいて、すなわち周方向において互いにずらされて位置している。
【０００６】
本発明は、以下に記載の認識に基づいている。すなわち、ソーラパネルの全長にわたって延在する連行条片は、開扇された状態においてソーラパネルの不都合な係合もしくは噛み合いを惹起し、これによってソーラパネルのフレキシビリティが損なわれ、ひいてはソーラパネルの風に対する抵抗力が低下する。つまり連行条片は、振動時にソーラパネルの損傷を惹起することがある。本発明におけるように連行体及びストッパがもっぱらソーラパネルの軸側の端部分に位置決めされていることによって、開扇されたソーラパネルは、その半径方向において突出した部分において互いに影響し合うことはないので、ソーラパネルはそこで妨げられることなく揺動することができ、これによって耐風性が高まり、ひいては耐用寿命が長くなる。
【０００７】
本発明による構造によって、ソーラパネルの、光起電に関して有効な外側部分を、モジュラ式に交換可能に、連行構造のために役立つ軸側の端部分によって形成することができる。これによって例えばすべての軸側の端部分を、種々様々な型式及びサイズのソーラパネルのために、中央の「開扇支持装置」の形式で、ユニットとして設計することができる。
【０００８】
好適な態様では、端部分はほぼ円板状であり、互いに隣接した各２つの端部分は、互いに向かい合って位置する円板側に、少なくとも２つの、好ましくは少なくとも３つの、接線方向に分配配置された連行体と、該連行体と共働するストッパとを有している。このように構成されていると、ソーラパネルはその端部分が円板状に互いに接触し、これによってソーラパネルもしくはその端部分は共通の軸に位置することになる。開扇動作時における力の導入は、周方向に分配された連行体及びストッパを介して対称的に、円板部分に分配されるので、これらの円板部分は、傾動力にさらされず、ひいては端部分の間における摩擦は最小になる。
【０００９】
特に好適な態様では、接線方向において互いに間隔をおいて位置する各２つのストッパが、端部分における接線方向の長孔によって形成されていて、該長孔内に、隣接した端部分の連行体が係合している。これにより、軸方向における所要空間が最小の連行体／ストッパ・構造体が生ぜしめられ、このとき１つの端部分の連行体は、隣接した端部分の長孔内に直に進入している。
【００１０】
本発明の第１の好適な態様によれば、少なくとも１つの端部分が、１つのソーラパネルの支持ステーの端部から形成されており、該支持ステーはサンドイッチ状に、軸に支持された２つの取付けプレートの間において固定されていて、該２つの取付けプレートのうちの一方が、少なくとも１つの接線方向の長孔を有し、かつ他方が連行体を有している。これによって、ソーラパネルの支持ステー（「板ばね」）から該支持ステーに対称的に接触している取付けプレートを介して軸受軸への中断されない対称的な力伝達が生ぜしめられる。支持ステーはまた両側において軸受軸を取り囲むように延びていてもよく、つまり軸受軸はまた、支持ステーの間に位置するようになっていてよい。各連行体は、好ましくは一方の取付けプレートにリベット結合されたピンによって形成されてよく、これによって極めて簡単な製造が可能になる。
【００１１】
本発明の第２の好適な態様によれば、少なくとも１つの端部分が、軸に支持された、１つのソーラパネルの支持ステー用の取付けプレートと、該取付けプレートに回動不能に接触しているスペーサ円板とから形成されており、該スペーサ円板は、少なくとも１つの接線方向の長孔を有し、取付けプレートは、少なくとも１つの突出したピンを連行体として有している。この変化態様では、パネルからパネルへのトルク伝達は、１つのパネルにそれぞれ回動不能に結合されたスペーサ円板を介して行われ、このようなスペーサ円板は、例えば射出成形品として特に簡単に、接線方向の長孔を備えて構成されることができる。特に好適な態様では、ピンは取付けプレートを貫通していて、スペーサ円板の凹部において係止されている。このように構成されていると、同一のエレメント、つまりピンを、取付けプレートの一方の側において連行体として、かつ取付けプレートの他方の側において、そこに接触しているスペーサ円板のための回転固定体として使用することができる。
【００１２】
本発明の第３の好適な態様によれば、少なくとも２つの端部分の間において１つのスペーサ円板が、軸によって挿通されており、スペーサ円板は、端部分の互いに共働する連行体とストッパとを貫通させるための接線方向の長孔を有している。この態様では、パネルからパネルへのトルク伝達は、一方のパネルの連行体と他方のパネルのストッパとの間において直接行われるので、スペーサ円板はただ間隔を保つためにだけ働き、ゆえに例えば射出成形品として特に重量を節減して、かつ繊細に構成することができる。従ってスペーサ円板は、好ましくは、複数の貫通部を備えた滑り円板として形成されている。
【００１３】
基本的にソーラモジュールは、任意の数のソーラパネルを有することができる。好適な態様によれば、１２のソーラパネルが設けられていて、それぞれの長孔が、約３０°の角度にわたって接線方向に延びている。このような態様は、複雑さとまとめられた状態におけるコンパクト性との間における良好な妥協案である。
【００１４】
本発明の別の好適な態様によれば、軸は、ソーラモジュールの支持構造体に回転可能に支持されており、該支持構造体の側に位置する第１のソーラパネルの端部分は、支持構造体に固定されていて、支持構造体とは反対側に位置する最後のソーラパネルの端部分は、軸に回動不能に結合されている。このような構成において特に好適な態様では、軸の、支持構造体とは反対側に位置する端部は、カバープレートを備えていて、該カバープレートは、最後の端部分と回動不能に結合されている。両方の態様は、挿通兼軸受軸が同時に駆動軸として働くので、開扇時及び閉扇時におけるソーラパネルの駆動を簡単にする。ゆえに軸の駆動装置は、技術的に公知のいかなる形式でも、例えば減速伝動装置を備えた電動機への直接的なフランジ結合によって、実現することができる。
【００１５】
軸は、好ましくはウォーム伝動装置を介して電動機によって駆動される。ウォーム伝動装置は減速比が大きく、セルフロッキング式であるので、ソーラパネルを開扇位置及び閉扇位置において自動的にロックすることができる。
【００１６】
摩擦を最小にするために好適な態様では、端部分は、１つの共通の滑りスリーブを介して軸に支持されている。このように構成されていると、組立てが簡単になる。さらに、前記スペーサ円板もしくは取付けプレートがそれ自体摩擦を最小にする材料が製造されていない場合又は滑りコーティングを備えていない場合には、端部分の間に、滑り円板が配置されていてもよい。
【００１７】
次に、添付の図面に示した実施の形態を参照しながら、本発明について詳説する。
【図面の簡単な説明】
【００１８】
【図１】図１ａ及び図１ｂは、本発明に係るソーラモジュールを２つの異なった運転位置において示す斜視図である。
【図２】ソーラパネル用の開扇支持装置を備えた旋回ヘッドを示す斜視図である。
【図３】本発明の開扇構造の第１の実施の形態を示す断面図である。
【図４】図４ａ及び図４ｂは、図３に示した実施の形態の２つのソーラパネルの端部分をそれぞれ、そのうちの１つを部分的に断面して、２つの異なった運転位置において示す斜視図である。
【図５】本発明の開扇構造の第２の実施の形態を示す断面図である。
【図６】図６ａ及び図６ｂは、図５に示した実施の形態の２つのソーラパネルの端部分をそれぞれ、そのうちの１つを部分的に断面して、２つの異なった運転位置において示す斜視図である。
【図７】本発明の開扇構造の第３の実施の形態を示す断面図である。
【図８】図８ａ及び図８ｂは、図７に示した実施の形態の２つのソーラパネルの端部分をそれぞれ、そのうちの１つを部分的に断面して、２つの異なった運転位置において示す斜視図である。
【００１９】
図１ａ及び図１ｂによれば、ソーラモジュール１は、羽根状もしくは薄板状（lamellenfoermig）の複数のソーラパネル２を有しており、これらのソーラパネル２は、共通の軸線３を中心にして旋回可能に、保持体４に、より正確に言えば、保持体４の旋回ヘッド５（図２）に支持されている。ソーラパネル２は、図示のように、好ましくは幾分丸く面取りされた角隅を備えたほぼ扇形の形状（花弁形状）を有している。
【００２０】
各ソーラパネル２はその表面に、例えば結晶型又は有機質型もしくは薄膜技術による、面状に配列された太陽電池６を有している。ソーラパネル２及び太陽電池６の電気的な接続及び配線は、図面を見易くするために示されていない。例えばソーラパネル２は、フレキシブルな接続ケーブル又は擦り接点及び剛性の接点リングを介して、保持体４もしくは旋回ヘッド５に接触接続され、かつ別のエネルギ伝達電気系に接続されている。
【００２１】
ソーラパネル２が回転軸線３を中心にして旋回支持されていることによって、ソーラパネル２は、ソーラパネル２同士がほぼ合同に互いに重なって位置している、まとめられた（閉扇された）第１の位置（図１ａ参照）から、ソーラパネル２が回転軸線３を中心にして広げられた（開扇された）、ひいては互いに並んで位置する第２の位置（図１ｂ参照）に、又はその逆に移動させることができる。このときソーラパネル２は、好ましくは、これらのソーラパネル２が開扇された位置（図１ｂ）において互いに補い合って完全な円を形成するような、扇形形状もしくは花弁形状を有している。例えば１２のソーラパネル２が設けられ、これらのソーラパネル２の扇形の中心角はそれぞれ約３０°であり、隣接したソーラパネル２に対する１つのソーラパネル２の旋回角も従ってほぼ３０°である。
【００２２】
保持体４は旋回ヘッド５と一緒に、例えばハウジング７に又はその他の起立構造物に、水平な軸線８を中心にして旋回可能に支持されているので、保持体４及び旋回ヘッド５を、例えば閉扇されたソーラパネル２と一緒に、ハウジング７内に内方旋回させ、このハウジング７を保護カバー９によって閉鎖することができる。これによってソーラパネル２を、装入された位置において天候の影響に対して保護することができる。ハウジング７は例えば、地面、建物の正面、建物の屋根又は車両のボディに面一に嵌め込む又は組み込むことができる。しかしながらまたハウジング７は省くことも可能である。保持体４は例えば、地面に不動に固定された鉛直な柱のような起立体であってよく、この起立体にソーラパネル２は、閉扇状態において鉛直方向に垂れ下がっている。
【００２３】
図２に示すように、旋回ヘッド５は開扇されたソーラパネル２に、鉛直な回転軸線１０及び／又は水平な回転軸線１１を中心にしたさらなる運動自由度を与えることができる。これによって回転軸線３もしくはソーラパネル２は、太陽に向かって最適に方向付けることができる。回転軸線１０；１１を中心にした旋回ヘッド５の旋回のため及び回転軸線３を中心にしたソーラパネル２の開扇のための電気的な回転駆動装置１２，１３，１４は、例えばオーストリア国特許発明第５０９８８６号明細書に記載されているように、リングギヤ及び該リングギヤに噛み合うウォームを備えたウォーム駆動装置として構成することができ、また同様に、軸線８を中心にして基本構造物７対して保持体４を旋回させるための旋回駆動装置も、このようなウォーム駆動装置として構成することができる。起立構造物もしくはハウジング７、保持体４及び旋回ヘッド５は、これによってソーラパネル２の本来の開扇支持装置１５のための支持構造体を形成する。この開扇支持装置１５については、図３〜図８に種々様々な実施の形態で詳しく示されている。
【００２４】
図３には、旋回ヘッド５の端部分５′にソーラパネル２の半径方向内側の軸線側の端部分２′を旋回支持する、開扇支持装置１５の第１の実施の形態が断面図で示されている。ヘッド端部分５′は、ころがり軸受１６及び固定リング１７を介して管状の軸１８を支持し、この管状の軸１８には、ソーラパネル２の端部分２′が、場合によっては例えばＰＴＦＥのようなプラスチック製の滑りスリーブ１９を介在させて、挿通されかつ旋回支持されている。これらの端部分２′は、同時に、開扇及び閉扇時におけるソーラパネル２のドラッグ駆動（Schleppantrieb）のために働く。そのために軸１８は、回転駆動装置１４によって回転軸線３を中心にして回転駆動される。回転駆動装置１４は例えば、軸受レース１７がアウタリングギヤを備えていて、ウォームモータ２０（単に略示されている）によって駆動させることによって、実現することができる。しかしながらまた軸１８を、技術的に公知の別の形式で回転駆動することも可能である。
【００２５】
支持構造体４，５，７側に位置する第１のソーラパネル２の端部分２′（図３で見て左側）は、支持構造体４，５，７に、例えば複数のボルト２１によって回動不能に結合されている。これらのボルト２１は、端部分２′を旋回ヘッド５の端部分５′の端面プレート２２にボルト結合している。支持構造体４，５，７とは反対側に位置する最後のソーラパネル２の端部分２′（図３で見て右側）もまた同様にボルト２３を介して、カバープレート２４に回動不能に結合されており、このカバープレート２４自体は、ボルト２６及びナット２７を介して、軸１８の外端部２５に回動不能に結合されている。これによって軸１８の回転時には、最外位の右側のソーラパネル２はカバープレート２４によって回転駆動され、それぞれ１つのソーラパネル２は、端部分２′における連行体（連結体）構造を介して、それぞれ次のソーラパネル２を一緒にドラッグもしくは連行し、この運動は、回動不能の最内位（左側）のソーラパネル２が開扇運動もしくは閉扇運動を制限して終了させるまで続く。
【００２６】
図３の連行体構造については、次に図４ａ及び図４ｂの部分的に破断された斜視図を用いて詳しく述べる。図４ａにおいて分かるように、この実施の形態では、各ソーラパネル２は３つの半径方向の支持ステー２８を有しており、これらの支持ステー２８は、該支持ステー２８に固定された、個々の太陽電池６を有する光起電性のパネル２９のためのバックボーンを形成している。ソーラパネル（いわば花弁）２の支持ステー（いわば花脈）２８は例えば、方形横断面を有するアルミニウム製の押出し成形品である。
【００２７】
支持ステー２８の、軸１８側に位置する端部は、軸１８に支持されたほぼ円板状の２つの取付けプレート３０の間に、例えば複数のねじ結合部又はリベット結合部３１又は溶接部によって、サンドイッチ状に取り付けられている。これによって支持ステー２８の力伝達経路は、図４ａに示すように、軸１８の周囲に対称的に分配される。支持ステー２８の、取付けプレート３０の間に収容された端部は、取付けプレート３０と一緒に、ソーラパネル２の端部分２′を形成している。これによって端部分２′は、軸１８を貫通させるための中央の開口３２を有しており、この開口３２は、追加的な補強リング３３によって被覆されていてよく、この補強リング３３は軸１８又は間に設置された滑りスリーブ１９上を滑る。互いに隣接した２つの端部分２′の取付けプレート３０の間には、例えばＰＴＦＥプラスチックのような摩擦を減じる材料から成る滑りリング３０′を配置することができる。
【００２８】
互いに隣接した２つのソーラパネル２の端部分２′の間における連行体構造として、それぞれ一方の取付けプレート３０（図４ａ及び図４ｂにおいてそれぞれ背側の、かつ図３においてそれぞれ右側の取付けプレート３０）は、ピン３４として形成された連行体を備えており、これらのピン３４は、例えば取付けプレート３０にリベット結合されている。図示の実施の形態では、全周にわたって分配配置された６つのピン３４が設けられている。これらのピン３４は、互いに隣接した端部分２′のそれぞれ他方の取付けプレート３０（図４ａ及び図４ｂにおいてそれぞれ前側の、かつ図３においてそれぞれ左側の取付けプレート３０）に設けられた長孔３５に係合している。各長孔３５は、取付けプレート３０の接線方向もしくは周方向に、例えば約３０°の開扇角度にわたって延在し、その接線方向の端部３６，３７は、ピン３４のためのリミットストッパを形成している。図４ａに示した位置から図４ｂに示した位置への、ソーラパネル２の開扇時に、各ピン３４は長孔３５内において、その一方の端部３６から他方の端部３７に、かつ逆方向に移動する。
【００２９】
図５、図６ａ及び図６ｂには、ソーラパネル２、その端部分２′及び開扇支持装置１５の第２の実施の形態が示されている。この実施の形態では、各端部分２′は、ただ１つの取付けプレート３８だけを有しており、この取付けプレート３８には、支持ステー２８が例えばねじ結合部３９を介して片側に固定されている。取付けプレート３８は例えば、厚さ８ｍｍのアルミニウムから製造されている。支持ステー２８及びこの支持ステー２８によって保持された光起電性のパネル２９は、比較的大きな厚さを有していて、ゆえに取付けプレート３８は、軸１８に相応に間隔をおいて支持されねばならないので、各取付けプレート３８は、本実施の形態では、片側において接触しているスペーサ円板４０を備えている。
【００３０】
スペーサ円板４０は、例えばプラスチック射出成形品であり、材料節約及び重量低減のための別の貫通部４１の他に、図３及び図４に示した第１の実施の形態におけると同様に接線方向の長孔３５を有している。これらの長孔３５には同様にピン４２が係合しており、これらのピン４２は、それぞれ隣接した端部分２′の取付けプレート３８に固定されている。ピン４２は、長孔３５内においてそのストッパとして働く端部３６，３７の間で移動することができ、これによってソーラパネル２は、閉扇された位置（図６ａ）から開扇された位置（図６ｂ）にかつその逆に移動することができる。
【００３１】
ピン４２はこのとき同時に２つの機能を有している。すなわち図示のように各ピン４２は、取付けプレート３８を貫通していて、その一方の進出する端部において広げられてヘッド４３を形成しており、このヘッド４３は、端部分２′のスペーサ円板４０の凹部４４内において係止されていて、これによってスペーサ円板４０を取付けプレート３８に対して回動不能に固定することができる。ピン４２はその他方の進出する端部で、隣接した端部分２′のスペーサ円板４０の接線方向の長孔３５に係合している。
【００３２】
スペーサ円板４０は、各１つの隣接した取付けプレート３８に沿って滑るその表面に、滑りコーティング又は特別な滑りリング４０′を備えているか、又は、例えば全体がＰＴＦＥプラスチックのような摩擦を減じる材料から製造されていてよい。
【００３３】
図７及び図８には、ソーラパネル２、その端部分２′及び開扇支持装置１５の第３の実施の形態が示されている。各端部分２′はこの実施の形態でも、図５及び図６の実施形態におけるように、個々の取付けプレート３８を有していて、これらの取付けプレート３８にはそれぞれ、光起電性のパネル２９のための支持ステー２８がねじ結合部又はリベット３９を用いて取り付けられている。互いに隣接する２つの端部分２′の取付けプレート３８の間には、本実施の形態でも、それぞれ１つのスペーサ円板４５が配置されている。しかしながら本実施の形態では、スペーサ円板４５は、各１つのフランジプレート３８に回動不能に結合されているのではなく、軸１８に載置されたルーズな滑り円板として形成されており、これらの滑り円板は、少なくとも１つの側に、滑りライニング又は特別な滑りリング４５′を備えているか、又は全体が、例えばＰＴＦＥプラスチックのような摩擦を減じる材料から製造されている。
【００３４】
スペーサ円板４５は、接線方向の長孔４６又はさらに大きな貫通孔を有しており、これらの長孔４６又は貫通孔は、（上に述べた実施の形態におけるように）それ自体が連行体用のストッパを形成しているのではなく、取付けプレート３８の特別なストッパ４７の妨げられない貫通を可能にしており、ピンとして形成されたこれらのストッパ４７は、隣接した取付けプレート３８に固定された連行体４８と共働する。従って、端部分２′の取付けプレート３８の連行体４８はそれぞれ、ソーラパネル２の開扇時に、隣接した端部分２′の取付けプレート３８の２つのストッパ４７の間において移動することができる（図８ａ及び図８ｂ参照）。
【００３５】
スペーサ円板４５は例えば、繊細で軽量なプラスチック射出成形品として形成されていてよく、このようなプラスチック射出成形品として形成されたスペーサ円板４５は、本実施の形態では単に、例えば複数のウェブを備えた、軸方向において圧縮強さをもった構造を有していればよい。
【００３６】
本発明は、図示の実施の形態に制限されるものではなく、本発明の請求項に記載の範囲におけるすべての変化形態及び改良形態を含む。
【図１ａ】
0006328144.tif 000002
【図１ｂ】
0006328144.tif 000003
【図２】
0006328144.tif 000004
【図３】
0006328144.tif 000005
【図４ａ】
0006328144.tif 000006
【図４ｂ】
0006328144.tif 000007
【図５】
0006328144.tif 000008
【図６ａ】
0006328144.tif 000009
【図６ｂ】
0006328144.tif 000010
【図７】
0006328144.tif 000011
【図８ａ】
0006328144.tif 000012
【図８ｂ】
0006328144.tif 000013